(57)【要約】【課題】ビルやマンション等の建物の管理者の負荷を低減することができる情報提供システム、情報提供装置、情報提供方法及びコンピュータプログラムを提供することである。【解決手段】実施形態の情報提供システムは、センサと、受付端末と、情報提供装置とを持つ。センサは、室内の環境パラメータを計測する。受付端末は、前記室内の環境に対するクレーム内容及び前記クレーム内容に対する要求の強さを含むクレーム情報の入力を受け付ける。情報提供装置は、前記環境パラメータと、前記クレーム情報とに基づいて、前記要求の強さに応じた空調機の設定値の情報を、建物の管理者が操作する管理者装置に提供する。【選択図】図１
2019144832.tif 000002
【特許請求の範囲】
【請求項１】
室内の環境パラメータを計測するセンサと、
前記室内の環境に対するクレーム内容及び前記クレーム内容に対する要求の強さを含むクレーム情報の入力を受け付ける受付端末と、
前記環境パラメータと、前記クレーム情報とに基づいて、前記要求の強さに応じた空調機の設定値の情報を、建物の管理者が操作する管理者装置に提供する情報提供装置と、
を備える情報提供システム。
【請求項２】
前記情報提供装置は、前記クレーム情報に応じて予め設定されている重み付け係数を、前記環境パラメータと、前記空調機に設定されている情報とに基づいて得られる負荷に乗算することによって前記負荷の値を補正し、補正後の負荷の値を用いて前記設定値を算出する、請求項１に記載の情報提供システム。
【請求項３】
前記情報提供装置は、前記設定値の提供後、前記設定値を戻すための所定の条件を満たした場合には、設定値を戻す旨の情報を前記管理者装置に提供する、請求項１又は２に記載の情報提供システム。
【請求項４】
室内の環境パラメータと、前記室内の環境に対するクレーム内容及び前記クレーム内容に対する要求の強さを含むクレーム情報とを取得する取得部と、
前記環境パラメータと、前記クレーム情報とに基づいて、前記要求の強さに応じた空調機の設定値を算出する演算部と、
算出された前記設定値を、建物の管理者が操作する管理者装置に提供する提供部と、
を備える情報提供装置。
【請求項５】
室内の環境パラメータと、前記室内の環境に対するクレーム内容及び前記クレーム内容に対する要求の強さを含むクレーム情報とを取得する取得ステップと、
前記環境パラメータと、前記クレーム情報とに基づいて、前記要求の強さに応じた空調機の設定値を算出する演算ステップと、
算出された前記設定値を、建物の管理者が操作する管理者装置に提供する提供ステップと、
を備える情報提供方法。
【請求項６】
室内の環境パラメータと、前記室内の環境に対するクレーム内容及び前記クレーム内容に対する要求の強さを含むクレーム情報とを取得する取得ステップと、
前記環境パラメータと、前記クレーム情報とに基づいて、前記要求の強さに応じた空調機の設定値を算出する演算ステップと、
算出された前記設定値を、建物の管理者が操作する管理者装置に提供する提供ステップと、
をコンピュータに実行させるためのコンピュータプログラム。
【発明の詳細な説明】
【技術分野】
【０００１】
本発明の実施形態は、情報提供システム、情報提供装置、情報提供方法及びコンピュータプログラムに関する。
【背景技術】
【０００２】
従来、ビルやホテル等の建物に設置される空気調和機（以下「空調機」という。）の制御では、主に空調の設定変更によって省エネルギー化が実現されていた。しかしながら、省エネルギー化のために設定温度が過度に設定されてしまい、建物内の快適性が損なわれてしまうことがある。ビルやホテル等の人が在室する建物では、エネルギー削減と快適性のように、表裏一体の運用が求められている。そのため、管理者は、突発的な空調対応に追われることも多く、管理者の負荷が多くなってしまう場合がある。
【先行技術文献】
【特許文献】
【０００３】
【特許文献１】特開２０１５−１３７７９５号公報
【特許文献２】特開２００６−２７６９９２号公報
【特許文献３】特開２００７−１３２５７７号公報
【特許文献４】特開２０１４−７４５０９号公報
【発明の概要】
【発明が解決しようとする課題】
【０００４】
本発明が解決しようとする課題は、ビルやホテル等の建物の管理者の負荷を低減することができる情報提供システム、情報提供装置、情報提供方法及びコンピュータプログラムを提供することである。
【課題を解決するための手段】
【０００５】
実施形態の情報提供システムは、センサと、受付端末と、情報提供装置とを持つ。センサは、室内の環境パラメータを計測する。受付端末は、前記室内の環境に対するクレーム内容及び前記クレーム内容に対する要求の強さを含むクレーム情報の入力を受け付ける。情報提供装置は、前記環境パラメータと、前記クレーム情報とに基づいて、前記要求の強さに応じた空調機の設定値の情報を、建物の管理者が操作する管理者装置に提供する。
【図面の簡単な説明】
【０００６】
【図１】実施形態の情報提供システムのシステム構成を示す図。
【図２】実施形態におけるシステムサーバの機能構成を表す概略ブロック図。
【図３】重み付け情報テーブルの具体例を示す図。
【図４】情報提供システムの処理の流れを示すシーケンス図。
【図５】システムサーバにおける設定値を戻すための処理の流れを示すフローチャート。
【発明を実施するための形態】
【０００７】
以下、実施形態の情報提供システム、情報提供装置、情報提供方法及びコンピュータプログラムを、図面を参照して説明する。
図１は、実施形態の情報提供システム１００のシステム構成を示す図である。情報提供システム１００は、中央監視システム１０、センサ２０、受付端末３０、ＬＣＳ４０、上位システム５０及び中継装置６０を備える。以下の説明では、中央監視システム１０と、ＬＣＳ４０と、上位システム５０との間の通信は、内部ネットワークを介した通信として説明し、上位システム５０と、中継装置６０との間の通信は、外部ネットワークを介した通信として説明する。中継装置６０には、管理者側通信装置７０が接続される。
【０００８】
中央監視システム１０と、ＬＣＳ４０と、上位システム５０との間の通信には、ＢＡＣｎｅｔ／ＩＰ又はＳＱＬ／ＪＤＢＣ等のインテリジェントビル用ネットワークのための通信プロトコル規格が用いられる。また、上位システム５０と、中継装置６０との間の通信には、ＨＴＴＰ（Hypertext Transfer Protocol）又はＳＭＴＰ（Simple Mail Transfer Protocol）が用いられる。
【０００９】
また、上位システム５０と、中継装置６０との間には、ファイアウォール８０が設けられる。ファイアウォール８０は、外部ネットワークと、内部ネットワークとの間で、予め決められた通信のみを通過させ、外部ネットワークから内部ネットワークへの特定の通信を阻止する。
【００１０】
中央監視システム１０は、空調機の管理対象となるビルに設けられる。中央監視システム１０は、ビル内の空調機を統括して監視する。中央監視システム１０は、単数又は複数のＬＣＳ（Local Control Server）１１、ＧＣＳ（Global Control Server）１２、ＨＩＳ（Human Interface Station）１３及び監視対象設備１４を備える。
【００１１】
ＬＣＳ１１は、監視対象設備１４の機器の状態監視や監視対象設備１４の自動制御機能を有する。監視対象設備１４は、例えば空調機である。ＬＣＳ１１は、監視対象設備１４の稼働状況、給気風量、室内設定温度、室内設定湿度等の空調関連の情報や外気量、外気絶対湿度等の外気条件に関する情報を取得する。ＬＣＳ１１は、取得した情報をＧＣＳ１２に出力する。
【００１２】
ＧＣＳ１２は、ＬＣＳ１１を統括して監視する。ＧＣＳ１２は、ＬＣＳ１１から出力された情報を収集して保存する。ＧＣＳ１２は、ＨＩＳ１３からの指示に応じて、保存している情報をＨＩＳ１３上に表示させる。また、ＧＣＳ１２は、保存している情報を上位システム５０に出力する。
ＨＩＳ１３は、監視対象設備１４の状態表示、警報通知及び設定操作を行うための情報処理装置である。ＨＩＳ１３は、例えばパーソナルコンピュータ等の情報処理装置で構成される。
以下の説明では、中央監視システム１０から上位システム５０に出力される情報を監視情報と記載する。
【００１３】
センサ２０は、ビル内の部屋の温度、湿度及びＣＯ２等の環境パラメータを計測する。センサ２０は、例えば執務室に設置される。なお、センサ２０は、部屋内のレイアウト変更により、有線のセンサでは対応出来ないエリアに設置されるのが望ましい。センサ２０は、例えば温湿度センサやＣＯ２センサ等のセンサである。なお、センサ２０は、温湿度センサやＣＯ２センサに限らず、部屋内の環境パラメータを計測可能なセンサであれば無線、有線を問わずどのようなセンサであってもよい。センサ２０は、計測した結果と、センサ２０を識別するための識別情報とをセンサ情報としてＬＣＳ４０に出力する。
【００１４】
受付端末３０は、ビル内の部屋の環境に対するクレーム情報の入力を部屋に位置している人物から受け付ける。例えば、受付端末３０は、部屋の環境に対するクレームの内容と、その内容に対する要求の強さを表す強度とをクレーム情報として受け付ける。クレームの内容は、例えば部屋が暑い、部屋が寒い、空調機の風量が強い、空調機の風量が弱い等の情報である。ここでのクレーム情報には、クレームが発生している部屋・階数・場所等のエリア情報を含めてもよい。
【００１５】
強度は、複数段階（例えば、５段階）で表される。数字が高くなるほど、環境に対する要求が高いことを意味する。なお、強弱の選択は、５段階に限らず、５段階よりも少なくてもよいし、５段階よりも多くてもよい。受付端末３０は、例えばビル内の部屋（例えば、執務室）に設置される。受付端末３０は、入力を受け付けたクレーム情報に、受付端末３０を識別するための識別情報を対応付けてＬＣＳ４０に出力する。
【００１６】
ＬＣＳ４０は、センサ２０から出力されるセンサ情報と、受付端末３０から出力されるクレーム情報とを上位システム５０に出力する。
【００１７】
上位システム５０は、情報提供システム１００内の設備を統括して制御する。上位システム５０は、システムサーバ５１及びＷｅｂサーバ５２を備える。
システムサーバ５１は、中央監視システム１０及びＬＣＳ４０から得られる各情報を用いて、空調機に設定すべき設定値を算出し、算出した設定値の情報を、Ｗｅｂサーバ５２を介して管理者側通信装置７０に提供する。提供する設定値としては、例えば室内設定温度及び室内設定湿度である。また、システムサーバ５１は、クレーム情報を、Ｗｅｂサーバ５２を介して管理者側通信装置７０に提供する。システムサーバ５１は、情報提供装置の一例である。
Ｗｅｂサーバ５２は、システムサーバ５１の制御に従って、設定値の情報を管理者側通信装置７０に送信する。
【００１８】
中継装置６０は、上位システム５０と管理者側通信装置７０との間の通信を中継する。
管理者側通信装置７０は、ビルの管理者が操作する通信装置である。管理者側通信装置７０は、上位システム５０から送信された設定値の情報及びクレーム情報を表示する。管理者側通信装置７０は、例えばノート型パーソナルコンピュータやタブレット端末等の情報処理装置を用いて構成される。
【００１９】
図２は、実施形態におけるシステムサーバ５１の機能構成を表す概略ブロック図である。
システムサーバ５１は、バスで接続されたＣＰＵ（Central Processing Unit）やメモリや補助記憶装置などを備え、プログラムを実行する。プログラムの実行によって、システムサーバ５１は、取得部５１１、取得情報記憶部５１２、重み付け情報記憶部５１３、演算部５１４、提供部５１５を備える装置として機能する。なお、システムサーバ５１の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。また、プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、プログラムは、電気通信回線を介して送受信されてもよい。
【００２０】
取得部５１１は、各種情報を取得する。例えば、取得部５１１は、中央監視システム１０から監視情報を取得する。また、例えば、取得部５１１は、ＬＣＳ４０からクレーム情報及びセンサ情報を取得する。
取得情報記憶部５１２は、磁気ハードディスク装置や半導体記憶装置などの記憶装置を用いて構成される。取得情報記憶部５１２は、取得部５１１によって取得された情報を記憶する。
【００２１】
重み付け情報記憶部５１３は、磁気ハードディスク装置や半導体記憶装置などの記憶装置を用いて構成される。重み付け情報記憶部５１３は、重み付け情報テーブルを記憶する。重み付け情報テーブルには、クレームの内容と、強度との組み合わせ毎に、重み付けに用いられる係数（以下「重み付け係数」という。）が登録されている。
【００２２】
図３は、重み付け情報テーブルの具体例を示す図である。
図３に示すように、重み付け情報テーブルには、クレームの内容（例えば、暑い、寒い、風量強い、風量弱い）と、強度（例えば、１、２、３、４、５）との組み合わせ毎に、負荷に対する重み付け係数が登録されている。ここで、負荷とは、演算部５１４により算出される室内負荷及び外気負荷である。
【００２３】
図３に示す例では、クレーム内容が“暑い”の場合には、強度が高くなるにつれて重み付け係数が高くなるように設定されている。これは、部屋が暑いことが想定されるため、強度が高くなるにつれて、室内設定温度や室内設定湿度が低くなるようにするためである。
また、図３に示す例では、クレーム内容が“寒い”の場合には、強度が高くなるにつれて重み付け係数が低くなるように設定されている。これは、部屋が寒いことが想定されるため、強度が高くなるにつれて、室内設定温度や室内設定湿度が高くなるようにするためである。
【００２４】
また、図３に示す例では、クレーム内容が“風量強い”の場合には、強度が高くなるにつれて重み付け係数が低くなるように設定されている。例えば、風量が強い場合には部屋が寒いことが想定される。したがって、強度が高くなるにつれて、室内設定温度や室内設定湿度を高くしたり、風量を強めるためインバータ周波数を下げたりするためである。
また、図３に示す例では、クレーム内容が“風量弱い”の場合には、強度が高くなるにつれて重み付け係数が高くなるように設定されている。例えば、風量が弱い場合には部屋が暑いことが想定される。したがって、強度が高くなるにつれて、室内設定温度や室内設定湿度を低くしたり、風量を弱めるためインバータ周波数を上げたりするためである。
【００２５】
図２に戻って、説明を続ける。
演算部５１４は、取得情報記憶部５１２に記憶されている各情報と、重み付け情報テーブルとに基づいて、空調機に設定すべき設定値を算出する。
提供部５１５は、演算部５１４によって算出された設定値の情報と、クレーム情報とを、Ｗｅｂサーバ５２を介して管理者側通信装置７０に提供する。
【００２６】
図４は、情報提供システム１００の処理の流れを示すシーケンス図である。
受付端末３０は、クレーム情報の入力を受け付ける（ステップＳ１０１）。中央監視システム１０は、各種情報を取得する（ステップＳ１０２）。具体的には、中央監視システム１０のＬＣＳ１１は、監視対象設備１４の給気風量、室内設定温度、室内設定湿度等の情報や外気量、外気絶対湿度の情報を取得する。ＬＣＳ１１は、取得した情報をＧＣＳ１２に出力する。ＧＣＳ１２は、ＬＣＳ１１から得られた情報を監視情報として上位システム５０に出力する（ステップＳ１０３）。
【００２７】
センサ２０は、環境パラメータを計測する（ステップＳ１０４）。なお、図４では、１台のセンサ２０を用いて説明しているが、各部屋にセンサ２０が設置されている場合には、各部屋に設置されているセンサ２０は、自装置が設置されている部屋の環境パラメータを計測する。センサ２０は、計測した結果と、センサ２０を識別するための識別情報とをセンサ情報としてＬＣＳ４０を介して上位システム５０に出力する（ステップＳ１０５）。
受付端末３０は、クレーム情報が入力されると、入力されたクレーム情報に識別情報を対応付けてＬＣＳ４０を介して上位システム５０に出力する（ステップＳ１０６）。
【００２８】
取得部５１１は、監視情報、センサ情報及びクレーム情報を取得する。取得部５１１は、取得した監視情報、センサ情報及びクレーム情報を取得情報記憶部５１２に記憶する（ステップＳ１０７）。演算部５１４は、取得情報記憶部５１２に記憶されている監視情報、センサ情報及びクレーム情報と、重み付け情報テーブルとに基づいて設定値を演算する。具体的には、まず演算部５１４は、監視情報及びセンサ情報を用いて、以下の式１〜式４に基づいてある部屋の室内負荷及び外気負荷を算出する（ステップＳ１０８）。なお、演算部５１４は、複数の部屋について室内負荷及び外気負荷を算出する場合には、部屋毎に得られる情報を用いてそれぞれの部屋の室内負荷及び外気負荷を算出する。
【００２９】
（式１）：室内負荷（顕熱）＝０．３４×給気風量［ｍ３／ｈ］×（室内温度−室内設定温度）
（式２）：室内負荷（潜熱）＝０．８３×給気風量［ｍ３／ｈ］×（室内絶対湿度−室内設定湿度）
（式３）：外気負荷（顕熱）＝０．３４×外気量［ｍ３／ｈ］×（外気温度−室内温度）
（式４）：外気負荷（潜熱）=０．８３×外気量［ｍ３／ｈ］×（外気絶対湿度−室内絶対湿度）
【００３０】
次に、演算部５１４は、重み付け情報テーブルを参照し、クレーム情報で示されるクレーム内容及び強度に応じた重み付け係数を取得する。例えば、演算部５１４は、クレーム情報で示されるクレーム内容が“暑い”であり、強度が“３”の場合には、重み付け係数として“１．３”を取得する。次に、演算部５１４は、算出した各負荷（室内負荷（顕熱）、室内負荷（潜熱）、外気負荷（顕熱）及び外気負荷（潜熱））それぞれに対して、取得した重み付け係数を乗じることによって各負荷の値を補正する。これにより、室内負荷（顕熱）、室内負荷（潜熱）、外気負荷（顕熱）及び外気負荷（潜熱）の補正後の値が得られる。
【００３１】
次に、演算部５１４は、得られた補正後の外気負荷（顕熱）の値と、上記の式３とを用いて、室内温度を算出する。ここで、外気量及び外気温度は、ステップＳ１０８の処理で用いられた値が使用される。なお、外気量は、ＣＯ２制御時の風量を下限値とする。また、演算部５１４は、得られた補正後の外気負荷（潜熱）の値と、上記の式４とを用いて、室内絶対湿度を算出する。ここで、外気量及び外気絶対湿度は、ステップＳ１０８の処理で用いられた値が使用される。なお、外気量は、ＣＯ２制御時の風量を下限値とする。
【００３２】
また、演算部５１４は、得られた補正後の室内負荷（顕熱）の値と、上記の式１とを用いて、室内設定温度を算出する。ここで、給気風量はステップＳ１０８の処理で用いられた値が使用され、室内温度は補正後の外気負荷（顕熱）の値で得られた室内温度が使用される。この処理で得られた室内設定温度が、提供される設定値の一つである。
【００３３】
また、演算部５１４は、得られた補正後の室内負荷（潜熱）の値と、上記の式２とを用いて、室内設定湿度を算出する。ここで、給気風量はステップＳ１０８の処理で用いられた値が使用され、室内絶対湿度は補正後の外気負荷（潜熱）の値で得られた室内絶対湿度が使用される。この処理で得られた室内設定湿度が、提供される設定値の一つである。
【００３４】
演算部５１４は、得られた設定値を提供部５１５に出力する。提供部５１５は、演算部５１４から出力された設定値と、取得情報記憶部５１２に記憶されているクレーム情報とを、Ｗｅｂサーバ５２を介して管理者側通信装置７０に提供する（ステップＳ１０９）。なお、提供部５１５は、室内設定湿度については、空気線図により室内設定温度と室内絶対湿度とを用いて室内設定湿度の情報を提供する。
管理者側通信装置７０は、上位システム５０から送信された設定値の情報及びクレーム情報を表示する（ステップＳ１１０）。ビルの管理者は、表示された設定値の情報及びクレーム情報を参照し、機器を制御する。
【００３５】
以上のように構成された情報提供システム１００によれば、ビル内で従来得られる情報（、監視対象設備１４の給気風量、室内設定温度、室内設定湿度等の情報）の他に、部屋に位置している人物からのクレーム情報と、部屋に設置されたセンサ２０から得られるセンサ情報を加味することによって部屋内の負荷、給気風量等を想定して設定値を提供する。これにより、ビルの管理者は、簡便に空調を制御することができる。そのため、ビルの管理者の付加を軽減することが可能になる。
【００３６】
また、情報提供システム１００では、クレームの内容及び強度に応じた重み付け係数を用いて、設定値を算出している。これにより、クレームの内容のみならず、そのクレームの要求度合いを加味した設定値を提供する。これにより、ビルの管理者は、ビルを使用する人物の要求を踏まえて空調を制御することができる。
【００３７】
以下、情報提供システム１００の変形例について説明する。
上位システム５０の提供部５１５は、ビルの管理者がメールサーバを所有している場合には、設定値の情報をメールで提供してもよい。このように構成される場合、システムサーバ５１は、ビルの管理者がメールサーバを所有しているか否かの情報を予め記憶する。そして、提供部５１５は、ビルの管理者がメールサーバを所有しているか否かに応じて、設定値の情報の提供方法を切替えてもよい。なお、ビルの管理者がメールサーバを所有している場合、提供部５１５は設定値の情報をメールで提供するとともに、ＨＴＴＰにより設定値の情報を提供してもよい。
本実施形態では、提供部５１５が提供する設定値が、室内設定温度及び室内設定湿度である場合を説明したが、提供部５１５が提供する設定値はこれに限られない。例えば、提供部５１５が提供する設定値は、給気設定温度、省エネに関わる設定項目等も設定値として提供してもよい。省エネに関わる設定項目とは、風量、空調機のプロセッサの周波数等である。
【００３８】
管理者側通信装置７０は、上位システム５０から提供された情報を記憶しておき、類似する条件が発生した場合にはその情報を表示するように構成されてもよい。
また、システムサーバ５１は、設定値の情報を提供した後に所定の条件を満たした場合には、設定値を戻す旨の情報を提供するように構成されてもよい。
図５は、システムサーバ５１における設定値を戻すための処理の流れを示すフローチャートである。なお、図５の処理開始時には、システムサーバ５１が、既に設定値の情報を管理者側通信装置７０に提供しているものとする。
【００３９】
取得部５１１は、監視情報、センサ情報及びクレーム情報等の各種情報を取得する（ステップＳ２０１）。取得部５１１は、取得した監視情報、センサ情報及びクレーム情報を取得情報記憶部５１２に記憶する（ステップＳ２０２）。演算部５１４は、取得情報記憶部５１２に記憶されている監視情報、センサ情報及びクレーム情報と、重み付け情報テーブルとに基づいて設定値を演算する（ステップＳ２０３）。
【００４０】
提供部５１５は、設定値を戻すための所定の条件を満たすか否かを判定する（ステップＳ２０４）。設定値を戻すための所定の条件は、例えば室内温度から室内設定温度を減算した値が第１の範囲内の値である場合、又は、室内湿度から室内設定湿度を減算した値が第２の範囲内の値である場合のいずれか又は両方である。第１の範囲は、例えば±０．１℃である。第２の範囲は、例えば±５％である。
【００４１】
提供部５１５は、室内温度から室内設定温度を減算した値が第１の範囲内の値である場合、又は、室内湿度から室内設定湿度を減算した値が第２の範囲内の値である場合のいずれか又は両方が満たされた場合に所定の条件が満たされたと判定する。一方、室内温度から室内設定温度を減算した値が第１の範囲内の値である場合、又は、室内湿度から室内設定湿度を減算した値が第２の範囲内の値である場合の両方が満たされなかった場合に所定の条件が満たされていないと判定する。
【００４２】
所定の条件が満たされた場合（ステップＳ２０４−ＹＥＳ）、提供部５１５は設定値を戻す旨の情報を、Ｗｅｂサーバ５２を介して管理者側通信装置７０に提供する（ステップＳ２０５）。提供部５１５は、設定値を戻す旨の情報として、室内設定温度及び室内設定湿度の両方を元に戻す旨の情報と、戻すための設定値の情報とを含めて管理者側通信装置７０に提供する。なお、提供部５１５は、設定値を戻す旨の情報として、室内設定温度及び室内設定湿度のいずれか一方を戻す旨の情報と、戻すための設定値の情報とを含めて管理者側通信装置７０に提供してもよい。
一方、所定の条件が満たされていない場合（ステップＳ２０４−ＮＯ）、システムサーバ５１は図５の処理を終了する。
【００４３】
以上説明した少なくともひとつの実施形態によれば、室内の環境パラメータを計測するセンサ２０と、室内の環境に対するクレーム内容及び強度を含むクレーム情報の入力を受け付ける受付端末３０と、環境パラメータと、クレーム情報とに基づいて、要求の強さに応じた空調機の設定値の情報を、管理者側通信装置７０に提供するシステムサーバ５１を持つことにより、ビルやマンション等の建物の管理者の負荷を低減することができる。
【００４４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４５】
１０…中央監視システム，１１…ＬＣＳ，１２…ＧＣＳ，１３…ＨＩＳ，１４…監視対象設備，２０…センサ，３０…受付端末，４０…ＬＣＳ，５０…上位システム，５１…システムサーバ，５２…Ｗｅｂサーバ，６０…中継装置，７０…管理者側通信装置，８０…ファイアウォール，５１１…取得部，５１２…取得情報記憶部，５１３…重み付け情報記憶部，５１４…演算部，５１５…提供部
【図１】
2019144832.tif 000003
【図２】
2019144832.tif 000004
【図３】
2019144832.tif 000005
【図４】
2019144832.tif 000006
【図５】
2019144832.tif 000007